(57)【要約】【課題】  ノズル筒のノズル口端面そのものに、密着シール力を付与することにより、オーバーキャップによりノズル口を密閉する構成を得るのに、高弾性で密着性に優れた高価な材料の消費量を少なくすると共に、密着シール機能部分の成形を簡単にし、ノズル筒およびオーバーキャップに対する寸法制約が発生しないようにすることを目的とする。【解決手段】  横向きのノズル筒７を有するノズルヘッド６を上端に突出位置させた容器本体１と、ノズルヘッド６全体を覆って容器本体１に被嵌されるオーバーキャップ１１とから成り、オーバーキャップ１１を、容器本体１への装着状態で、その筒壁１２の密接内面１４に、ノズル筒７のノズル口端面９が圧接する構成とし、ノズル口端面９を、高弾性で密着性に優れた材料製のノズル口片８で形成すると共に、オーバーキャップ１１の着脱方向と平行もしくは少し上向き傾斜した姿勢の平滑面とし、高価な高弾性で密着性に優れた材料を、ノズル口の密閉に無駄なく有効に作用させる。【選択図】図１
2006282198.tif 000002
【特許請求の範囲】
【請求項１】
ノズル筒（７）を横向きに延出させたノズルヘッド（６）を上端に突出位置させた容器本体（１）と、前記ノズルヘッド（６）全体を覆って容器本体（１）の上端部に上方から着脱自在に嵌合組付きする、筒壁（１２）を有する有頂筒形状のオーバーキャップ（１１）とから成り、該オーバーキャップ（１１）を、前記容器本体（１）への装着状態で、前記筒壁（１２）の内周面の一部である平滑な密接内面（１４）に、前記ノズル筒（７）のノズル口端面（９）が圧接する構成とし、該ノズル口端面（９）を、高弾性で密着性に優れた材料製のノズル口片（８）で形成すると共に、前記オーバーキャップ（１１）の着脱方向と平行もしくは少し上向き傾斜した姿勢の平滑面としたオーバーキャップ付き吐出容器。
【請求項２】
ノズル口片（８）を、ノズル筒（７）の先端に組付け固定された、エラストマー製の筒片構造物とした請求項１記載のオーバーキャップ付き吐出容器。
【請求項３】
ノズル口片（８）を、ノズル筒（７）の先端部に塗布成形された、軟質被膜構造物とした請求項１記載のオーバーキャップ付き吐出容器。
【請求項４】
ノズル口端面（９）を、少し上向き傾斜した姿勢とし、密接内面（１４）を、筒壁（１２）の上端部分に位置して、上方に縮径傾斜した傾斜筒壁部（１５）の内周面とした請求項１、２または３記載のオーバーキャップ付き吐出容器。
【請求項５】
ノズル口端面（９）を、オーバーキャップ（１１）の着脱方向に平行な姿勢とし、密接内面（１４）を、テーパー筒状の縮径段部（１６）を介して筒壁（１２）の上端部に位置する縮径筒壁部（１７）の内周面とした請求項１、２または３記載のオーバーキャップ付き吐出容器。
【請求項６】
ノズル口端面（９）および密接内面（１４）を完全な平坦面とし、容器本体（１）とオーバーキャップ（１１）との間に、周方向に沿った組付き位置を規制する位置合わせ機能部（１８）を設けると共に、前記容器本体（１）に対して、ノズルヘッド（６）を回動変位不能とした請求項１、２、３、４または５記載のオーバーキャップ付き吐出容器。
【請求項７】
容器本体（１）とオーバーキャップ（１１）との嵌合組付き部分を、正多角周面構造にして位置合わせ機能部（１８）を構成し、密接内面（１４）を、前記正多角周面構造と同じ正多角周面構造とした請求項６記載のオーバーキャップ付き吐出容器。
【発明の詳細な説明】
【技術分野】
【０００１】
本発明は、ノズル筒を横向きに延出させたノズルヘッドを上端に突出位置させた容器本体の上端部に、ノズルヘッド全体を覆うオーバーキャップを着脱自在に組付けたオーバーキャップ付き吐出容器に関するものである。
【背景技術】
【０００２】
吐出ポンプ付き容器とかエアゾール容器等の内、横方向に突出したノズル筒を有するノズルヘッドを、容器本体の上端に突出位置させたものにあっては、ノズルヘッドの保護および、誤操作防止を目的として、ノズルヘッド全体を覆うオーバーキャップを着脱自在に組付けたものがある。
【０００３】
このオーバーキャップ付き吐出容器において、有頂筒形状をしたオーバーキャップの筒壁の内周面の内、容器本体に装着された状態で、ノズル筒のノズル口端面に対向する箇所に、シリコンゴム等の可撓性を有する材料製の環状となった閉栓部を接着等により固定し、オーバーキャップの装着時に、この閉栓部にノズル口端面を圧接させることにより、ノズル筒の密閉を達成する構成の従来技術が知られている。
【特許文献１】特開平０９−１５０８５５号公報
【０００４】
この特許文献１に示された従来技術におけるオーバーキャップは、上記したノズルヘッドの保護および誤操作防止だけではなく、ノズル筒内の残留内容物の漏出防止および、乾燥防止を達成できるようにして、内容物の良好な吐出使用状態と、良好な衛生状態を得ることができるようにしている。
【発明の開示】
【発明が解決しようとする課題】
【０００５】
しかしながら、上記した従来技術にあって、オーバーキャップの筒壁の内周面の全周に亘って設けられた閉栓部は、ノズル口端面に圧接した小さな箇所だけが、ノズル筒の密閉動作に機能し、残りの大部分は密閉動作に機能しないので、高価なシリコンゴム等の可撓性材料を、きわめて効率の悪い状態で使用することになり、このため高価な可撓性材料を無駄に消費することになる、と云う問題があった。
【０００６】
また、閉栓部は、オーバーキャップの筒壁の内周面全周に亘って、均一な肉厚で接着成形されるのであるが、このオーバーキャップに対する閉栓部の接着成形処理は、接着箇所が筒壁の深部であること、および全周に亘って均一な肉厚にしなければないらないことにより、その成形処理および取扱いがきわめて面倒である、と云う問題があった。
【０００７】
さらに、閉栓部を設けることにより、オーバーキャップの筒壁の実質的な内径が、閉栓部の厚みの２倍分だけ小さくなるので、その分、ノズル筒の長さを小さくするか、オーバーキャップの筒壁の径寸法を大きくしなければならない、と云う制約を受けることになり、これにより内容物の吐出形態の改良が困難となるとか、容器の小型化が難しくなる、と云う問題があった。
【０００８】
そこで、本発明は、上記した従来技術における問題点を解消すべく創案されたもので、ノズル筒のノズル口端面そのものに、密着シール力を付与することを技術的課題とし、もって高弾性で密着性に優れた高価な材料の消費量を少なくすると共に、密着シール機能部分の成形を簡単にし、さらにノズル筒およびオーバーキャップに対する寸法制約が発生しないようにすることを目的とする。
【課題を解決するための手段】
【０００９】
上記技術的課題を解決する本発明の内、請求項１記載の発明の手段は、
ノズル筒を横向きに延出させたノズルヘッドを上端に突出位置させた容器本体と、ノズルヘッド全体を覆って容器本体の上端部に上方から着脱自在に嵌合組付きする、筒壁を有する有頂筒形状のオーバーキャップとから成ること、
オーバーキャップを、容器本体への装着状態で、筒壁の内周面の一部である平滑な密接内面に、容器本体のノズル筒のノズル口端面が圧接する構成とすること、
この容器本体のノズル筒のノズル口端面を、高弾性で密着性に優れた材料製のノズル口片で形成すると共に、オーバーキャップの着脱方向と平行もしくは少し上向き傾斜した姿勢の平滑面とすること、
にある。
【００１０】
この請求項１記載の発明にあっては、オーバーキャップの容器本体への装着状態で、オーバーキャップの筒壁の内周面の一部に形成された密接内面に対して、容器本体のノズル筒のノズル口端面を当接させているが、この密接内面に対するノズル口端面の当接は、ノズル口端面を形成するノズル口片が発揮する優れた高弾性および密着性により、必然的に密接状態となり、これによりオーバーキャップによるノズル筒の密閉が達成される。
【００１１】
また、容器本体に対するオーバーキャップの着脱方向は、容器本体に対して上下方向となるが、このオーバーキャップの着脱方向に対して、ノズル口端面が平行もしくは少し上向き傾斜した姿勢となっているので、容器本体に対してオーバーキャップを上方から装着すれば、そのままでノズル口端面が密接内面に、必ず自然に密接し、これによりオーバーキャップによるノズル口端面の密閉が確実に達成される。
【００１２】
そして、オーバーキャップの密接内面およびノズル筒のノズル口端面共に、同じ平滑面であるので、ノズル口端面を形成するノズル口片の成形材料の優れた高弾性および密着性により、圧接した密接内面とノズル口端面とは、必ず密接状態となり、密接内面によるノズル口の密閉は確実に達成維持される。
【００１３】
さらに、ノズル口端面を形成するノズル口片は、ノズル筒の先端部分だけを構成するものであるので、きわめて小型であり、また密閉対象物であるノズル筒のノズル口そのものを構成しているので、ノズル筒の密閉に際しては、その全体が、密閉達成のために無駄なく機能を発揮することになる。
【００１４】
またさらに、ノズル口密閉のための密着機能部分を、ノズル筒の先端に位置するノズル口片で形成しているので、この密着機能部分により、ノズル筒の実質的な長さが短くなると云うことは全くない。
【００１５】
請求項２記載の発明は、請求項１記載の発明の構成に、ノズル口片を、ノズル筒の先端に組付け固定された、エラストマー製の筒片構造物とした、ことを加えたものである。
【００１６】
この請求項２記載の発明にあっては、高弾性で密着性に優れたノズル口端面を、ノズル筒の先端に、エラストマー製の筒片構造物として成形されたノズル口片を組付け固定して形成するので、ノズル筒先端部からの不都合な影響を受けることなく、適正なノズル口端面を自由に形成することができる。
【００１７】
請求項３記載の発明は、請求項１記載の発明の構成に、ノズル口片を、ノズル筒の先端部に塗布成形された、軟質被膜構造物とした、ことを加えたものである。
【００１８】
この請求項３記載の発明にあっては、高弾性で密着性に優れたノズル口端面を、ノズル筒の先端部に塗布成形された、軟質被膜構造物として成形されたノズル口片により形成するので、ノズル口端面を安価にかつ簡単に形成することができる。
【００１９】
請求項４記載の発明は、請求項１、２または３記載の発明の構成に、ノズル筒のノズル口端面を、少し上向き傾斜した姿勢とし、オーバーキャップの密接内面を、筒壁の上端部分に位置して、上方に縮径傾斜した傾斜筒壁部の内周面とした、ことを加えたものである。
【００２０】
この請求項４記載の発明にあっては、容器本体に対するオーバーキャップの装着操作時に、ノズル口端面と密接内面とが、相互に平行に傾斜した姿勢で上下に対向する状態となるので、容器本体に対してオーバーキャップを上方から装着するだけで、ノズル口端面と密接内面とを、摺動させることなく、無理なく確実に密着させることになる。
【００２１】
請求項５記載の発明は、請求項１、２または３記載の発明の構成に、ノズル筒のノズル口端面を、オーバーキャップの着脱方向に平行な姿勢とし、オーバーキャップの密接内面を、テーパー筒状の縮径段部を介して筒壁の上端部に位置する縮径筒壁部の内周面とした、ことを加えたものである。
【００２２】
この請求項５記載の発明にあっては、密接内面を、筒壁の上端部分である縮径筒壁部の内周面としたので、容器本体に対するオーバーキャップの装着操作時に、密接内面に対するノズル口端面の摺動量を少なくすることができ、これによりノズル口端面の摺動による劣化を充分に抑制することになり、またオーバーキャップの高さ方向に沿った成形寸法の誤差が、密接内面によるノズル口端面の密閉に悪影響を与えることがない。
【００２３】
請求項６記載の発明は、請求項１、２、３、４または５記載の発明の構成に、ノズル筒のノズル口端面およびオーバーキャップの密接内面を完全な平坦面とし、容器本体とオーバーキャップとの間に、周方向に沿った組付き位置を規制する位置合わせ機能部を設けると共に、容器本体に対して、ノズルヘッドを回動変位不能とした、ことを加えたものである。
【００２４】
この請求項６記載の発明にあっては、ノズル口端面を完全な平坦面としたので、ノズル口片の成形が容易となり、またノズル口端面および密接内面共に、完全な平坦面であるので、ノズル口端面は、その全域で、密接内面に均等に圧接することになり、さらに位置合わせ機能部が設けられていることと、ノズルヘッドが容器本体に対して回動変位不能であることとによって、ノズル口端面と密接内面との平行した対向姿勢は、安定して確実に維持されることになる。
【００２５】
請求項７記載の発明は、請求項６記載の発明の構成に、容器本体とオーバーキャップとの嵌合組付き部分を、正多角周面構造にして位置合わせ機能部を構成し、密接内面を、位置合わせ機能部の正多角周面構造と同じ正多角周面構造とした、ことを加えたものである。
【００２６】
この請求項７記載の発明にあっては、位置合わせ機能部を正多角周面構造にしたので、位置合わせ機能部を簡単に構成することができると共に、この位置合わせ機能部により容器本体側の外観体裁を悪くする恐れがなく、またオーバーキャップ側の位置合わせ機能部と密接内面とを、同じ正多角周面構造としたので、オーバーキャップの構造が簡単なものとなる。
【発明の効果】
【００２７】
本発明は、上記した構成となっているので、以下に示す効果を奏する。
請求項１記載の発明にあっては、オーバーキャップによるノズル筒の密閉を、確実に、強固に、簡単に、そして安全に達成することができ、これによりノズル筒を有する容器本体の、良好な使用状態と衛生状態とを維持することができる。
【００２８】
また、ノズル口片はきわめて小型であるので、このノズル口片を成形する、高弾性および密着性に優れた高価な成形材料の消費量は小さく、これによりノズル口片を設けることによる材料費の増大を、充分に小さく抑制することができる。
【００２９】
そして、ノズル口片は、密閉対象物であるノズル筒のノズル口そのものを構成するので、ノズル筒密閉のために、その全体が、無駄なくかつ有効に作用することになり、これによりノズル口片を成形する、高弾性および密着性に優れた高価な成形材料のきわめて高い有効使用を得ることができる。
【００３０】
さらに、ノズル口片は、ノズルヘッドから横方向に延出したノズル筒の先端に位置するものであるので、このノズル口片のノズル筒への取付けは、周囲に邪魔となるものがないノズル筒の先端部への取付け作業となり、このためノズル口片のノズル筒の先端部への取付けをきわめて簡単に達成することができる。
【００３１】
またさらに、ノズル筒の先端に位置するノズル口片で密着機能部分を構成したので、密着機能部分によりノズル筒の実質的な長さが短くなると云うことが全くなく、これにより不要にノズル筒の長さを短くしたり、オーバーキャップの径を大きくしたりする寸法上の規制を受けることがなく、ノズル筒およびオーバーキャップを適正な寸法で成形することができる。
【００３２】
請求項２記載の発明にあっては、ノズル口片を、エラストマー製の独立した筒片構造物としたので、ノズル筒先端部からの不都合な影響を受けることなく、密閉に適したノズル口端面を自由に形成することができ、これによりノズル口の高い密閉性を確実に得ることができる。
【００３３】
請求項３記載の発明にあっては、ノズル口片を、ノズル筒の先端部に塗布成形された軟質被膜構造物としたので、一般的な塗布技術をそのまま利用して成形することができ、これによりノズル口片を簡単にかつ安価に成形することができる。
【００３４】
請求項４記載の発明にあっては、容器本体に対するオーバーキャップの装着により、容器本体のノズル口端面と、オーバーキャップの密接内面とを、摺動させることなく、無理なく確実に密着させることができるので、ノズル口片の磨耗による機能劣化を防止することができ、これにより優れた密閉性を長期間維持することができる。
【００３５】
請求項５記載の発明にあっては、容器本体に対するオーバーキャップの装着操作時の、オーバーキャップの密接内面に対する容器本体のノズル口端面の摺動量を少なくし、これによりノズル口端面の磨耗等による密閉機能低下を充分に抑制することができ、また密接内面の高さ幅全域をノズル口の密閉動作に機能させることができるので、オーバーキャップの高さ方向に沿った成形寸法の誤差があっても、ノズル口の高い密閉作用を維持することができる。
【００３６】
請求項６記載の発明にあっては、ノズル口端面と密接内面の両方を、完全な平坦面とし、ノズルヘッドを回動不能に組付けた容器本体とオーバーキャップとの間に、位置合わせ機能部を設けたので、オーバーキャップの容器本体への装着により、ノズル口端面と密接内面との平行した対向姿勢が、安定して確実に維持されることになり、これによりノズル口端面全域に対して、密接内面が均等に圧接し、ノズル口の強固で安定した密閉を得ることができる。
【００３７】
請求項７記載の発明にあっては、位置合わせ機能部を、容器本体の外観体裁を劣化させることなく、かつオーバーキャップにおける密接内面との組合せ構造を簡潔なものに構成することができ、これにより位置合わせ機能部を有するオーバーキャップ付き吐出容器を簡単に得ることができる。
【発明を実施するための最良の形態】
【００３８】
以下、本発明の実施形態を、図面を参照しながら説明する。
【００３９】
図１は、本発明によるオーバーキャップ付き吐出容器の第一の実施形態例を示す、一部破断した全体側面図で、有底筒形状をした容器本体１の上端開口部に、取付けキャップ２を介してノズルヘッド６を、上方に突出した姿勢で取付けると共に、取付けキャップ２の、突き当たり段部５を介して縮径した嵌合肩部３に、筒壁１２を有する有頂筒形状のオーバーキャップ１１を、嵌合肩部３の外周面に設けた係止周条４と、筒壁１２の下端開口部の内周面に設けた係止周溝１３とのアンダーカット結合により、着脱自在に組付けて構成されている。
【００４０】
ノズルヘッド６は、押し下げポンプ等の吐出ポンプのノズルヘッドや、エアゾール容器の吐出バルブのノズルヘッド等であって、上端部側面に横方向に延出したノズル筒７を有しており、このノズル筒７は、その先端に、すなわち延出端に、ノズル口端面９を形成するノズル口片８を設けている。
【００４１】
ノズル口片８は、高弾性および密着性に優れた材料で成形されており、ノズル筒７の本体部分に対する強固で安定した取付け固定は、嵌着や接着等により達成する。
【００４２】
図１に示した第一の実施形態例の場合、取付けキャップ２は、その嵌合肩部３の外周面形状を、完全な円形としており、突き当たり段部５を、筒壁１２の厚みと等しい幅を有たものとしており、またノズル筒７を、先端に向かってわずかに上昇傾斜した傾斜姿勢としており、そしてノズル口片８を、エラストマー製の筒片構造物として、ノズル筒７の本体部分の先端部に、外嵌により嵌着固定させて構成されており、ノズル口端面９は、ノズル筒７の傾斜に従った傾斜角度で、わずかに上向きとなっている。
【００４３】
オーバーキャップ１１の筒壁１２は、完全な円筒形状体の上端部分を、その内周面が、ノズル口端面９の傾斜角度と等しい傾斜角度で傾斜した、テーパー円周形状の傾斜筒壁部１５となっており、この傾斜筒壁部１５の内周面とノズル口端面９とは、等しい一次曲面となっている。
【００４４】
それゆえ、容器本体１、具体的には取付けキャップ２に対してオーバーキャップ１１を上方から被せて行くと、ノズル口端面９と密接内面１４とが斜めに平行となった姿勢のまま、上下に対向し、係止周条４と係止周溝１３とがアンダーカット結合する装着位置で、ノズル口端面９が密接内面１４に密に圧接し、ノズル口がオーバーキャップ１１により密閉される。
【００４５】
この第一の実施形態にあっては、オーバーキャップ１１を容器本体１に装着するに際して、密接内面１４に対してノズル口端面９が等しい一次曲面であるので、容器本体１に対するオーバーキャップ１１の周方向に沿った相対位置が何処であっても、ノズル口端面９の全域は密接内面１４に均等に対向することになり、それゆえオーバーキャップ１１によるノズル口の密閉は、オーバーキャップ１１の容器本体１に対する回動位置合わせを要することなく、達成されることになる。
【００４６】
図２ないし図４は、本発明の第二の実施形態を示すもので、第一の実施形態例と異なるのは、容器本体１側にあっては、ノズル口端面９が平坦面となっており、また嵌合肩部３の外周面を正多角形状（図示実施例の場合、正九角形状）として、位置合わせ機構部１８の一方を構成し、オーバーキャップ１１側にあっては、筒壁１２の内周面を、嵌合肩部３の外周面と同じ正多角形状（図示実施例の場合、正九角形状、図４参照）として、位置合わせ機構部１８の他方を構成し、傾斜筒壁部１５の密接内面１４を、筒壁１２の内周面（正九角形状となっている）を、そのまま縮径しながら延長させた平坦面とした点にある。
【００４７】
この第二の実施形態にあっては、ノズル口端面９および密接内面１４が、共に平坦面であるので、ノズル口端面９全域の、密接内面１４に対する均等な圧接達成が確実に得られ、これにより確実で強力なノズル口密閉動作を得ることができ、また平坦な各密接内面１４と、筒壁１２の各平坦内面とが上下に連続しているので、ノズル口端面９の密接内面１４への圧接が、筒壁１２の各平坦内面に邪魔されることなく、円滑に達成される。
【００４８】
なお、第二の実施形態にあっては、容器本体１とオーバーキャップ１１との間に位置あわせ機能部１８を設けたことと組合わせて、取付けキャップ２に対するノズルヘッド６の回動姿勢を一定位置に固定するために、ノズルヘッド６の側面に縦条状のキー片１０を設け、取付けキャップ２に設けたキー溝（図示省略）と組合わさって、回動変位規制機能部分を構成している。
【００４９】
図５は、本発明の第三の実施形態を示すもので、第二の実施形態例と異なるのは、容器本体１側のノズル口片８を、柔軟性に富んで表面が充分に平滑であることにより、ソフトな質感としっとり感とを有する塗料、例えば二液型高弾性ウレタン系塗料（商品名；ラ・フィール２００）を用いて塗布成形した、軟質被膜構造物とした点にある。
【００５０】
この第三の実施形態にあっては、ノズル口片８の成形が簡単であると共に、ノズル口片８を、その成形と同時にノズル筒７本体部部に対して適正に組付けることができ、さらに一つのノズル口片８を成形するのに要する材料量がきわめて少ないので、ノズル口片８の成形は安価に達成できる。
【００５１】
なお、第三の実施形態に示したノズル口片８の構造は、第一の実施形態例および、これから説明する第四の実施形態例にも使用することができるものである。
【００５２】
図６および図７は、本発明の第四の実施形態例を示すもので、第一の実施形態例と異なるのは、容器本体１側にあっては、ノズル筒７が、傾くことなく真っ直ぐに横方向に延出し、ノズル口端面９が、容器本体１に対するオーバーキャップ１１の着脱方向に沿った垂直姿勢となっている点であり、またオーバーキャップ１１側にあっては、密接内面１４が、縮径段部１６を介して、縮径形成された筒壁１２の上端部分である縮径筒壁部１７の内周面である点である。
【００５３】
この第四の実施形態例にあっては、密接内面１４が、縮径段部１６を介して縮径した、筒壁１２の上端部分である縮径筒壁部１７の内周面だけであるので、容器本体１に対するオーバーキャップ１１着脱操作時における、筒壁１２の内周面に対するノズル口端面９の摺動量が少なくなり、これによりノズル口端面９の磨耗発生を大幅に抑制することができ、また密接内面１４の全高さ範囲をノズル口端面９の密閉に作用させることができるので、オーバーキャップ１１の高さ方向に沿った成形寸法誤差の許容範囲を大きくすることができる。
【００５４】
なお、この第四の実施形態例におけるノズル筒７とオーバーキャップ１１との組合せ構成は、第二の実施形態例における同一部分と置き換えて実施するが可能であり、この場合は、ノズル口端面９および密接内面１４は、平坦面とするのが有利であることは、云うまでもない。
【００５５】
図示実施例にあっては、位置合わせ機能部１８として、正多角形状構造だけを示したが、位置合わせ機能部１８は、これに限定されることはなく、位置合わせ用の凹凸を設けた構成とか、非円形形状等の構成を採用することができる。
【図面の簡単な説明】
【００５６】
【図１】本発明の第一の実施形態例を示す、一部破断した全体側面図である。
【図２】本発明の第二の実施形態例を示す、一部破断した拡大側面図である。
【図３】図２に示した実施形態例のオーバーキャップを示す、縦断面図である。
【図４】図２に示した実施形態例のオーバーキャップを示す、底面図である。
【図５】本発明の第三の実施形態例を示す、一部破断した拡大側面図である。
【図６】本発明の第四の実施形態例を示す、一部破断した拡大側面図である。
【図７】図６に示した実施形態例のオーバーキャップを示す、底面図である。
【符号の説明】
【００５７】
１  ；  容器本体
２  ；  取付けキャップ
３  ；  嵌合肩部
４  ；  係止周条
５  ；  突き当たり段部
６  ；  ノズルヘッド
７  ；  ノズル筒
８  ；  ノズル口片
９  ；  ノズル口端面
１０；  キー片
１１；  オーバーキャップ
１２；  筒壁
１３；  係止周溝
１４；  密接内面
１５；  傾斜筒壁部
１６；  縮径段部
１７；  縮径筒壁部
１８；  位置合わせ機能部
【図１】
2006282198.tif 000003
【図２】
2006282198.tif 000004
【図３】
2006282198.tif 000005
【図４】
2006282198.tif 000006
【図５】
2006282198.tif 000007
【図６】
2006282198.tif 000008
【図７】
2006282198.tif 000009